(57)【特許請求の範囲】
【請求項１】
原稿の画像を読み取る原稿読取部と、
読み取った画像を記録紙に形成する画像形成部と、
前記原稿読取部と前記画像形成部を内部に収容している筐体と、
前記筐体の上面の一辺側を中心に回転し、前記上面を開放する開状態と前記上面を覆う閉状態とに移動可能であって、前記原稿読取部に原稿を搬送して供給する原稿供給部と、
前記開状態において前記筐体から上方に突出し、前記閉状態において前記原稿供給部に押し下げられることで前記原稿供給部の開閉状態を検出する検出部材を有する開閉センサと、を備える画像形成装置であって、
前記検出部材は導電材料で構成され、前記原稿供給部の開閉に伴い、前記検出部材の先端部が前記原稿供給部の導電部と接触することで前記原稿供給部と前記筐体とを導通させ、
前記導電部は、原稿を搬送するための搬送用駆動ユニットが固定された板金部品であり、
前記原稿供給部の本体カバーは、前記板金部品を露出させる開口部を備えることを特徴とする画像形成装置。
【請求項２】
前記開閉センサは前記筐体の一辺側に設けられ、
前記原稿供給部は、前記閉状態で前記開閉センサに対向する位置に電子回路基板を内蔵することを特徴とする請求項１に記載の画像形成装置。
【発明の詳細な説明】
【技術分野】
【０００１】
本発明は、原稿読取部と画像形成部を内部に収容している筐体と、筐体の上面を開放する開状態と上面を覆う閉状態とに移動可能である原稿供給部と、原稿供給部の開閉状態を検出する開閉センサと、を備える画像形成装置に関する。
【背景技術】
【０００２】
複写機などの画像形成装置には、原稿の画像を読み取るための原稿読取装置が備えられている。この種の原稿読取装置は、原稿に向けて光を照射する光源、及び、原稿からの反射光を受光する受光部などからなる原稿読取部が、筐体内に収容されることにより構成されている。
【０００３】
上記筐体の上面には、例えばガラス板が形成されており、当該ガラス板上に置かれた原稿に対して、筐体内の光源から光が照射され、原稿からの反射光が受光部により受光される。また、上記筐体には、ガラス板に対向する閉状態と、ガラス板に対向しない開状態との間で開閉可能な開閉カバーが取り付けられている。当該開閉カバーには、両端部にヒンジが固定され、それらの２つのヒンジが筐体に取り付けられることにより、当該ヒンジを中心に開閉カバーが回転可能となる。
【０００４】
上記開閉カバーには、原稿読取部に原稿を供給するための原稿供給装置（ＡＤＦ）が設けられる。原稿供給装置は、原稿を搬送するための各種のローラ、及びこれらのローラを回転させるためのモータ及びギアなどの駆動部品で構成されている。そのため、原稿読取部に原稿を供給する際、駆動部品及び原稿が互いに擦れ、原稿供給装置では静電気が発生しやすくなっている。静電気は、装置に悪影響を与え、例えば、読み込んだ画像が歪む、或いは装置が停止するといった不具合の原因となる。
【０００５】
したがって、このような静電気に対する対策として、原稿供給装置が適切に接地されることが求められる。原稿供給装置を接地する方法としては、原稿供給装置を筐体にワイヤで接続する方法が公知である。また、下記特許文献１には、画像形成装置本体に出没自在の接地用導電部を設け、自動原稿搬送装置の導電部と接触させることにより自動原稿搬送装置の接地強化を図るようにした画像形成装置が開示されている。
【先行技術文献】
【特許文献】
【０００６】
【特許文献１】特開２００７−１５８７４３号公報
【発明の概要】
【発明が解決しようとする課題】
【０００７】
しかし、ワイヤを用いる公知の方法、接地用導電部を設ける特許文献１の方法のいずれの場合にも、接地用の専用部材を別途設ける必要があり、コストの増加、及び組立工程の複雑化に繋がっていた。
【０００８】
本発明は、上記実情に鑑みてなされたものであり、接地用の専用部材を別途設けることなく、原稿供給部を確実に接地することができる画像形成装置を提供することを目的とする。
【課題を解決するための手段】
【０００９】
上記課題を解決するため本発明に係る画像形成装置は、
原稿の画像を読み取る原稿読取部と、
読み取った画像を記録紙に形成する画像形成部と、
前記原稿読取部と前記画像形成部を内部に収容している筐体と、
前記筐体の上面の一辺側を中心に回転し、前記上面を開放する開状態と前記上面を覆う閉状態とに移動可能であって、前記原稿読取部に原稿を搬送して供給する原稿供給部と、
前記開状態において前記筐体から上方に突出し、前記閉状態において前記原稿供給部に押し下げられることで前記原稿供給部の開閉状態を検出する検出部材を有する開閉センサと、を備える画像形成装置であって、
前記検出部材は導電材料で構成され、前記原稿供給部の開閉に伴い、前記検出部材の先端部が前記原稿供給部の導電部と接触することで前記原稿供給部と前記筐体とを導通させることを特徴とする。
【００１０】
本発明の画像形成装置は、原稿供給部の開閉状態を検出するための開閉センサを備えている。開閉センサは検出部材を有しており、この検出部材は、原稿供給部の開状態において筐体から上方に突出し、原稿供給部の閉状態において原稿供給部に押し下げられることで原稿供給部の開閉状態を検出することができる。本発明では、検出部材を導電材料で構成しているため、原稿供給部を開状態から閉状態へ移動させることで、検出部材の先端部が原稿供給部の導電部と接触し、原稿供給部と筐体とを導通させることができる。これにより、通常、筐体は接地されているため、原稿供給部で発生した静電気は、導電部、検出部材、筐体を介して大地へ逃げていき、原稿供給部を確実に接地することができる。さらに、原稿供給部の開閉状態を検出する開閉センサが、原稿供給部を接地する役割も兼ねており、本発明によれば、接地用の専用部材を別途設ける必要はない。
【００１１】
本発明の画像形成装置において、前記開閉センサは前記筐体の一辺側に設けられ、前記原稿供給部は、前記閉状態で前記開閉センサに対向する位置に電子回路基板を内蔵することが好ましい。
【００１２】
開閉センサを筐体の一辺側に設けることで、開閉センサの配線を簡素化することができる。また、開閉センサと原稿供給部の電子回路基板とを近くに配置することで、接地のための配線を短くできる。
【００１３】
本発明の画像形成装置において、前記導電部は、原稿を搬送するための搬送用駆動ユニットが固定された板金部品であり、前記原稿供給部の本体カバーは、前記板金部品を露出させる開口部を備えることが好ましい。
【００１４】
この構成によれば、検出部材が、原稿供給部の本体カバーに設けられた開口部を通して、搬送用駆動ユニットが固定された板金部品と接触するので、原稿供給部で発生する静電気を確実に筐体側に逃がすことができる。
【図面の簡単な説明】
【００１５】
【図１】画像形成装置の内部構成を示す概略断面図である。
【図２】原稿供給部を開状態にした画像形成装置の斜視図である。
【図３】開閉センサ付近の斜視断面図である。
【図４】開閉センサ付近の縦断面図である。
【図５】検出部材とセンサ部の詳細な構成を示す図である。
【発明を実施するための形態】
【００１６】
図１は、本発明の一実施形態に係る画像形成装置の内部構成を示す概略断面図である。図２は、原稿供給部を開状態にした画像形成装置の斜視図である。
【００１７】
本実施形態の画像形成装置１は、大きく分けて、筐体１ａと、筐体１ａの上方に配置されるＡＤＦ２（原稿供給部に相当）とにより構成されている。筐体１ａは、後述する原稿の画像を読み取る原稿読取部３と、読み取った画像を記録紙に形成する画像形成部４を内部に収容している。
【００１８】
筐体１ａは、外形が略直方体形状をしており、樹脂製の成形品、及び金属製の板金部品などで構成されている。
【００１９】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。送り出された原稿は、複数の搬送ローラ２ｄ、２ｅ、２ｆにより搬送路２ｇを搬送され、当該搬送路２ｇの途中に位置する読取ポイントＡにおいて、静止したスキャナ３ａにより画像が読み取られる。また、ＡＤＦ２の内部には、上記の各種ローラを回転させるためのモータ及びギアのほか、電子回路基板が設けられている。ＡＤＦ２の上面には原稿排出トレイ２ｉが形成されており、当該原稿排出トレイ２ｉの上方に原稿トレイ２ａが設けられている。
【００２０】
図１に示した画像形成装置１に設けられているＡＤＦ２は、原稿の片面の画像のみを読み取ることができる片面読取タイプであり、片面の画像が読み取られた後の原稿は、排出ローラ２ｈにより原稿排出トレイ２ｉ上に順次排出される。なお、ＡＤＦ２は、図１のような片面読取タイプのほか、原稿の表裏を反転させて、原稿の両面を読み取らせることができる両面読取機構を備えた両面読取タイプであってもよい。このような両面読取タイプのＡＤＦ２の構成は公知であるため、その詳細な説明は省略する。
【００２１】
原稿読取部３には、いわゆるＣＣＤ方式が採用され、複数のＣＣＤ(Charge Coupled Devices)が、原稿の搬送方向に対して直交する水平方向（図１における紙面の前後方向）である主走査方向に並べて配置されている。原稿読取部３には、ＡＤＦ２により搬送される原稿をスキャナ３ａが静止した状態で読み取る静止読取領域３ｂと、ガラス板３ｄ上に置かれた原稿をスキャナ３ａが移動しながら読み取る移動読取領域３ｃとが備えられている。
【００２２】
図１では、スキャナ３ａが読取ポイントＡの直下の静止読取領域３ｂに静止し、ＡＤＦ２により１枚ずつ搬送される原稿の画像を読み取る状態が示されている。この静止読取領域３ｂで原稿を読み取る場合には、各ＣＣＤで原稿からの反射光を受光することにより主走査が行われるとともに、読取ポイントＡを原稿が搬送されることにより副走査が行われる。一方、移動読取領域３ｃで原稿を読み取る場合には、各ＣＣＤで原稿からの反射光を受光することにより主走査が行われるとともに、スキャナ３ａが主走査方向に直交する水平方向（副走査方向）に移動することにより副走査が行われる。
【００２３】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、スキャナ３ａで読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２４】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２５】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ８に対して押圧される。この状態で給紙ローラ８が回転駆動されることにより、記録紙カセット６内に収容されている記録紙Ｐが、搬送路１２に１枚ずつ送り出される。
【００２６】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、記録紙Ｐは感光体ドラム４ａの直前で一旦停止され、感光体ドラム４ａに形成されるトナー像を転写させるタイミングに合わせてレジストローラ１４により送り出される。
【００２７】
上記のような原稿読取部３、画像形成部４及び給紙部５は、筐体１ａ内に配置されており、当該筐体１ａの上面に上記ガラス板３ｄが形成されている。筐体１ａの上方には、ＡＤＦ２が設けられている。
【００２８】
筐体１ａとＡＤＦ２は、筐体１ａの一辺Ｓに沿って設けられた複数のヒンジにより連結されている。ヒンジの一端部は、筐体１ａの上面における前後方向（主走査方向）の後端部に取り付けられ、ヒンジの他端部は、ＡＤＦ２の下面に取り付けられている。ＡＤＦ２は、筐体１ａの上面の一辺Ｓ側を中心に回転し、上面を開放する開状態と上面を覆う閉状態とに移動可能である。
【００２９】
ＡＤＦ２を使用する場合には、ＡＤＦ２を図１に示すような閉状態とし、この状態で原稿トレイ２ａ上に置かれた原稿が１枚ずつ原稿読取部３に供給される。一方、ＡＤＦ２を使用しない場合、すなわちガラス板３ｄ上に原稿を置いて読み取らせる場合には、ＡＤＦ２を図２に示すような開状態でガラス板３ｄ上に原稿を置いた後、ＡＤＦ２を閉じることにより、原稿がＡＤＦ２の下面とガラス板３ｄとの間に挟まれた状態で読み取られる。
【００３０】
画像形成装置１は、ＡＤＦ２の開閉状態を検出するための開閉センサ７を備えている。開閉センサ７は、筐体１ａの一辺Ｓ側に設けられている。また、開閉センサ７は、原稿読取部３に干渉しないように、副走査方向の一端部に設けられている。
【００３１】
図３は開閉センサ７付近の斜視断面図、図４は開閉センサ７付近の縦断面図である。図３、図４のいずれもＡＤＦ２は開状態である。開閉センサ７は、ＡＤＦ２の開状態において筐体１ａから上方に突出し、ＡＤＦ２の閉状態においてＡＤＦ２に押し下げられることでＡＤＦ２の開閉状態を検出する検出部材７１を有する。
【００３２】
検出部材７１は、断面が四角形の棒状であり、筐体１ａ内に固定された筒状フレーム７２の内部を上下方向にスライドすることができる。検出部材７１は、金属、導電性樹脂などの導電材料で構成されている。本実施形態の検出部材７１は、金属材料で構成された板金部品となっている。検出部材７１の金属材料としては、電気亜鉛めっき鋼板（ＳＥＣＣ）、ステンレス鋼板などが例示される。検出部材７１の先端部７１ａは、副走査方向から見て三角形となるように板金加工され、最先端は少し丸みを帯びている。ただし、検出部材７１の先端部７１ａは、半球状などとしてもよい。
【００３３】
検出部材７１はコイルばね７３により上方に押し上げられている。コイルばね７３は、一端が筒状フレーム７２に固定され、他端が検出部材７１の下部に固定されている。コイルばね７３は、導電性の金属製となっており、接地された筐体１ａと導通している。検出部材７１の下部には、棒状部分よりも少し大きいストッパ７１ｄが設けられており、検出部材７１の上方への移動は筒状フレーム７２により規制され、ＡＤＦ２の開状態において検出部材７１の先端の一部が筐体１ａの上面から突出する。一方、ＡＤＦ２の閉状態においては、検出部材７１は、ＡＤＦ２の下面により押し下げられ、筐体１ａに略全体が埋没する。
【００３４】
図５は、検出部材７１とセンサ部７４の詳細な構成を示す図である。（ａ）〜（ｃ）は、検出部材７４がＡＤＦ２の下面により押し下げられていくときの状態を示し、（ｄ）は、検出部材７１とセンサ部７４の平面図である。
【００３５】
検出部材７１の下部にはセンサ部７４が設けられており、検出部材７１の上下位置を検出することができる。検出部材７１には、第１プレート７１ａと第２プレート７１ｂが一体となっており、これらプレート７１ａ，７１ｂも検出部材７１と一体に上下動する。第１プレート７１ａの鉛直方向の長さは、第２プレート７１ｂの鉛直方向の長さよりも短く設定されている。
【００３６】
センサ部７４は、第１プレート７１ａ側に第１検出センサ７５、第２プレート７１ｂ側に第２検出センサ７６を備えている。第１検出センサ７５は、発光部７５ａと受光部７５ｂで構成され、第１プレート７１ａを挟むような位置関係にある。また、第２検出センサ７６は、発光部７６ａと受光部７６ｂで構成され、第２プレート７１ｂを挟むような位置関係にある。
【００３７】
プレート７１ａ，７１ｂが、発光部７５ａ，７６ａと受光部７５ｂ，７６ｂの間に位置している時は、光が遮断されている状態であるが、プレート７１ａ，７１ｂが下がると、受光部７５ｂ，７６ｂに光が到達する。これにより、タイミングを検出することができる。
【００３８】
第１検出センサ７５は、ＡＤＦ２が所定角度開いた状態か否かを検出する。すなわち、ＡＤＦ２を大きく開いた状態から徐々に閉じていく時に、所定角度になったときに、第１検出センサ７５から第１プレート７１ａが退避し、光を受光可能になる（図５（ｂ）参照）。所定角度は、例えば、１５°〜２５°の範囲で適宜設定できる。
【００３９】
第２検出センサ７６は、ＡＤＦ２が閉じる直前、または閉じた状態を検出する（図４（ｃ）参照）。閉じる直前とは、例えば、ＡＤＦ２と原稿読取部３のガラス板３ｄとの角度が５゜以下であり、閉じた状態とは０°である。すなわち、第２検出センサ７６は、ＡＤＦ２が閉じているか閉じているかを検出する機能を有する。
【００４０】
なお、上記実施形態では、遮光状態から光通過状態へ移行することでタイミングの検出を行っているが、光通過状態から遮光状態へ移行することでタイミングの検出を行ってもよい。
【００４１】
検出部材７１の先端部７１ａは、ＡＤＦ２の開閉に伴い、ＡＤＦ２の導電部と接触する。本実施形態の導電部は、原稿を搬送するための搬送用駆動ユニットが固定された板金部品２１である。搬送用駆動ユニットは、原稿を搬送するためのローラ、ギア、モータ、電子回路基板などを含み、ＡＤＦ２に内蔵される。電子回路基板は、ＡＤＦ２の閉状態で開閉センサ７に対向する位置に配置されるのが好ましい。板金部品２１の材料は、電気亜鉛めっき鋼板（ＳＥＣＣ）、ステンレス鋼板などが例示される。
【００４２】
ＡＤＦ２の本体カバー２２は、通常、樹脂成形品となっている。そのため、検出部材７１の先端部７１ａと板金部品２１が直接接触することができるように、本体カバー２２は、板金部品２１を露出させる開口部２２ａを備える。開口部２２ａは、ＡＤＦ２の閉状態で検出部材７１に対向する位置に設けられている。
【００４３】
ＡＤＦ２の開閉に伴い、検出部材７１の先端部７１ａとＡＤＦ２の板金部品２１とが接触することで、ＡＤＦ２で発生した静電気は、板金部品２１、検出部材７１、コイルばね７３、筐体１ａを介して大地へ逃げていく。ＡＤＦ２の開閉状態を検出する開閉センサ７が、ＡＤＦ２を接地する役割も兼ねており、本発明によれば、接地用の専用部材を別途設ける必要はない。また、ＡＤＦ２は閉状態で使用され、すなわち、ＡＤＦ２は、閉状態で搬送用駆動ユニットを駆動させて原稿を搬送する。閉状態においては検出部材７１の先端部７１ａとＡＤＦ２の板金部品２１が必ず接触するため、ＡＤＦ２を確実に接地し、原稿を搬送する際に発生する静電気を確実に除去することができる。
【００４４】
＜別実施形態＞
本実施形態では、ＡＤＦ２で発生した静電気をコイルばね７３を介して筐体１ａへ逃がしているが、コイルばね７３を介さずに検出部材７１から直接筐体１ａへと逃がすように構成してもよい。
【符号の説明】
【００４５】
１    画像形成装置
１ａ  筐体
２    ＡＤＦ
３    原稿読取部
３ｄ  ガラス板
４    画像形成部
７    開閉センサ
２１    板金部品
２２    本体カバー
２２ａ  開口部
７１    検出部材
７１ａ  先端部
７１ｄ  ストッパ
７２    筒状フレーム
７３    コイルばね
７４    センサ部
Ｐ    記録紙
Ｓ    筐体の上面の一辺
【図１】
0005618077.tif 000002
【図２】
0005618077.tif 000003
【図３】
0005618077.tif 000004
【図４】
0005618077.tif 000005
【図５】
0005618077.tif 000006